(57)【要約】【課題】光の入射側とは反対側に直接当たる光（直線光）を照光に有効に利用することができると共に、輝度均一性を向上させることができる導光板、該導光板を備えたプリント配線板、該プリント配線板を備えたキーモジュール、及び該キーモジュールを備えた電子機器の提供を課題とする。【解決手段】光源４０から入射させた光を厚み内を導光しながら複数の光出射構造部２３で板の上面から出射させるようにした導光板２０であって、前記光の入射側とは反対側まで到達した光を再び板厚内に反射誘導させる光反射誘導手段たる傾斜凹凸形状２４を側面２２に設けてあることを特徴とする導光板である。【選択図】      図４
2011044324.tif 000002
【特許請求の範囲】
【請求項１】
入射させた光を厚み内を導光しながら１乃至複数の所定位置で板の上面若しくは板の下面から出射させるようにした導光板であって、前記光の入射側とは反対側まで到達した光を再び板厚内に反射誘導させる光反射誘導手段を設けてあることを特徴とする導光板。
【請求項２】
前記光反射誘導手段は、光の入射側とは反対側の側面に、該側面に対して傾斜した１乃至複数の傾斜凹凸形状を設けてなることを特徴とする請求項１に記載の導光板。
【請求項３】
前記傾斜凹凸形状は、凹凸が板の幅方向に形成されていることを特徴とする請求項２に記載の導光板。
【請求項４】
前記傾斜凹凸形状は、凹凸が板の厚み方向に形成されていることを特徴とする請求項２に記載の導光板。
【請求項５】
前記傾斜凹凸形状の傾斜面は、鏡面からなることを特徴とする請求項２〜４の何れか１項に記載の導光板。
【請求項６】
前記光反射誘導手段は、板の長手方向に沿って導かれてくる平行光線を、該光反射誘導手段を設けた側面付近にある板厚外へ光を出射させる光出射構造部に反射誘導させることを特徴とする請求項１〜５の何れか１項に記載の導光板。
【請求項７】
請求項１〜６の何れか１項に記載の導光板を備えたことを特徴とするプリント配線板。
【請求項８】
請求項７に記載のプリント配線板と、該プリント配線板の導光板に対して光を入射させる光源と、前記プリント配線板の上方に位置し、所定の指令を入力するための入力キーと、該入力キーの下方に位置し、前記入力キーの動作に従動してスイッチオン、スイッチオフを行うドーム状のスイッチ動作子とから構成されることを特徴とするキーモジュール。
【請求項９】
請求項８に記載のキーモジュールを備えたことを特徴とする電子機器。
【発明の詳細な説明】
【技術分野】
【０００１】
本発明は、導光板、該導光板を備えたプリント配線板、該プリント配線板を備えたキーモジュール及び該キーモジュールを備えた電子機器に関する。
【背景技術】
【０００２】
携帯電話をはじめとする電子機器において、その一様な照光には導光板が用いられている。導光板は、その側面からＬＥＤなどの光を入射し、導光板の一方の主面に形成された凹状、凸状等のドットからなる光出射構造部での散乱・回析により照光側主面方向に光路を変えることで均一発光させている。この時、マクロに見れば均一発光と言えるが、ミクロに見るとドットの分布に応じた発光となっている。
従来、エッジライト方式の導光板においては、その１端面からＬＥＤなどの光を入射するため、光源近傍側と光源遠方側とで輝度の差が生じるという問題があった。
また従来、導光板に入射する光の内、光入射面と反対側の面に直接当たる光（直線光）が照光に利用されていないという問題があった。
光源近傍側と光源遠方側における輝度の差を防止し、照光の均一化を図る従来技術として、例えば下記特許文献１がある。
また光入射面と反対側の面に直接当たる光（直線光）を照光に利用する従来技術として、例えば下記特許文献２がある。
下記特許文献１は、キー照明装置に関する発明で、携帯電話機、ＰＤＡ等の携帯端末のキー照明に好適な光の均一性に優れる技術が開示されている。
また下記特許文献２は、面状光源ユニットに関する発明で、ＬＥＤ入光面に対向した面に直接当たる光を利用する技術が開示されている。
【先行技術文献】
【特許文献】
【０００３】
【特許文献１】特開２００８−２３５１３７号公報
【特許文献２】特開２００３−８４１４０号公報
【発明の概要】
【発明が解決しようとする課題】
【０００４】
上記特許文献１においては、光の均一性に優れ、キー操作時のクリック感を損なわず、薄型、低消費電力、低コストを実現できるメリットがある。
しかしながら、光入射面と反対側の面に直接当たる光（直線光）を利用するような構成ではなく、入射光を有効に利用できていないという問題があった。
また上記特許文献２においては、ＬＥＤ入光面に対向した面に直接当たる光を有効に利用できるメリットがある。
しかしながら、ＬＥＤ照射光を上下に分割する第１のプリズムを精度良く作製するのが困難であるという問題があった。また第１のプリズム近傍の輝度が上昇し、輝度均一性が低下するという問題があった。
【０００５】
そこで本発明は上記従来における問題点を解決し、光の入射側とは反対側に直接当たる光（直線光）を照光に有効に利用することができると共に、輝度均一性を向上させることができる導光板、該導光板を備えたプリント配線板、該プリント配線板を備えたキーモジュール、及び前記キーモジュールを備えた電子機器の提供を課題とする。
【課題を解決するための手段】
【０００６】
本発明の導光板は、入射させた光を厚み内を導光しながら１乃至複数の所定位置で板の上面若しくは板の下面から出射させるようにした導光板であって、前記光の入射側とは反対側まで到達した光を再び板厚内に反射誘導させる光反射誘導手段を設けてあることを第１の特徴としている。
【０００７】
上記本発明の第１の特徴によれば、入射させた光を厚み内を導光しながら１乃至複数の所定位置で板の上面若しくは板の下面から出射させるようにした導光板であって、前記光の入射側とは反対側まで到達した光を再び板厚内に反射誘導させる光反射誘導手段を設けてあることから、光の入射側とは反対側まで到達した光を有効に利用して出射させることができる。
【０００８】
また本発明の導光板は、上記本発明の第１の特徴に加えて、前記光反射誘導手段は、光の入射側とは反対側の側面に、該側面に対して傾斜した１乃至複数の傾斜凹凸形状を設けてなることを第２の特徴としている。
【０００９】
上記本発明の第２の特徴によれば、上記本発明の第１の特徴による作用効果に加えて、前記光反射誘導手段は、光の入射側とは反対側の側面に、該側面に対して傾斜した１乃至複数の傾斜凹凸形状を設けてなることから、光の入射側とは反対側まで到達した光を入射側とは反対側の側面に対して傾斜させた状態で再び板厚内に反射誘導させることができる。
【００１０】
また本発明の導光板は、上記本発明の第２の特徴に加えて、前記傾斜凹凸形状は、凹凸が板の幅方向に形成されていることを第３の特徴としている。
【００１１】
上記本発明の第３の特徴によれば、上記本発明の第２の特徴による作用効果に加えて、前記傾斜凹凸形状は、凹凸が幅方向に形成されていることから、光の入射側とは反対側まで到達した光を板の幅方向に傾斜させた状態で再び板厚内に反射誘導させることができる。
【００１２】
また本発明の導光板は、上記本発明の第２の特徴に加えて、前記傾斜凹凸形状は、凹凸が板の厚み方向に形成されていることを第４の特徴としている。
【００１３】
上記本発明の第４の特徴によれば、上記本発明の第２の特徴による作用効果に加えて、前記傾斜凹凸形状は、凹凸が板の厚み方向に形成されていることから、光の入射側とは反対側まで到達した光を板の厚み方向に傾斜させた状態で再び板厚内に反射誘導させることができる。
【００１４】
また本発明の導光板は、上記本発明の第２〜第４の何れか１つに記載の特徴に加えて、前記傾斜凹凸形状の傾斜面は、鏡面からなることを第５の特徴としている。
【００１５】
上記本発明の第５の特徴によれば、上記本発明の第２〜第４の何れか１つに記載の特徴による作用効果に加えて、前記傾斜凹凸形状の傾斜面は、鏡面からなることから、光の入射側とは反対側まで到達した光をより確実且つ効率的に、入射側とは反対側の側面に対して傾斜させた状態で再び板厚内に反射誘導させることができる。
【００１６】
また本発明の導光板は、上記本発明の第１〜第５の何れか１つに記載の特徴に加えて、前記光反射誘導手段は、板の長手方向に沿って導かれてくる平行光線を、該光反射誘導手段を設けた側面付近にある板厚外へ光を出射させる光出射構造部に反射誘導させることを第６の特徴としている。
【００１７】
上記本発明の第６の特徴によれば、上記本発明の第１〜第５の何れか１つに記載の特徴による作用効果に加えて、前記光反射誘導手段は、板の長手方向に沿って導かれてくる平行光線を、該光反射誘導手段を設けた側面付近にある板厚外へ光を出射させる光出射構造部に反射誘導させることから、板の長手方向に沿って導かれてくる平行光線を有効に利用できると共に、輝度均一性を向上させることができる。
【００１８】
また本発明のプリント配線板は、第１〜第６の何れか１つの特徴に記載の導光板を備えたことを第７の特徴としている。
【００１９】
上記本発明の第７の特徴によれば、プリント配線板は、第１〜第６の何れか１つの特徴に記載の導光板を備えることにより、光の入射側とは反対側まで到達した光を有効に利用して出射させることができる。また輝度均一性を向上させることができる。
【００２０】
また本発明のキーモジュールは、第７の特徴に記載のプリント配線板と、該プリント配線板の導光板に対して光を入射させる光源と、前記プリント配線板の上方に位置し、所定の指令を入力するための入力キーと、該入力キーの下方に位置し、前記入力キーの動作に従動してスイッチオン、スイッチオフを行うドーム状のスイッチ動作子とから構成されることを第８の特徴としている。
【００２１】
上記本発明の第８の特徴によれば、キーモジュールは、第７の特徴に記載のプリント配線板と、該プリント配線板の導光板に対して光を入射させる光源と、前記プリント配線板の上方に位置し、所定の指令を入力するための入力キーと、該入力キーの下方に位置し、前記入力キーの動作に従動してスイッチオン、スイッチオフを行うドーム状のスイッチ動作子とから構成されることから、光の入射側とは反対側まで到達した光を有効に利用して出射させることができると共に、キー操作に際して均一な輝度での照光機能を発揮することができる。
【００２２】
また本発明の電子機器は、第８の特徴に記載のキーモジュールを備えたことを第９の特徴としている。
【００２３】
上記本発明の第９の特徴によれば、電子機器は、第８の特徴に記載のキーモジュールを備えたことから、光の入射側とは反対側まで到達した光を有効に利用して出射させることができると共に、均一な輝度での照光機能を発揮することができる。
【発明の効果】
【００２４】
本発明の導光板、該導光板を備えたプリント配線板、該プリント配線板を備えたキーモジュール及び該キーモジュールを備えた電子機器によれば、光の入射側とは反対側に直接当たる光（直線光）を照光に有効に利用することができると共に、輝度均一性を向上させることができる導光板を提供することができる。またそのような導光板を備えたプリント配線板、該プリント配線板を備えたキーモジュール及び該キーモジュールを備えた電子機器を提供することができる。
【図面の簡単な説明】
【００２５】
【図１】本発明の実施形態に係る電子機器としての携帯電話機を示す斜視図である。
【図２】本発明の実施形態に係る電子機器としての携帯電話機のキーモジュールの平面図である。
【図３】図２に示すキーモジュールにおける光源及び光源から最も遠い側の入力キーとに対応する要部の断面図である。
【図４】本発明の実施形態に係る光源及び導光板を示す図であり、（ａ）は斜視図、（ｂ）は平面図、（ｃ）は正面図である。
【図５】本発明の実施形態に係る導光板に入射する光を簡略化して説明する図である。
【図６】本発明の実施形態に係る導光板の変形例１を示す図であり、（ａ）は斜視図、（ｂ）は平面図、（ｃ）は正面図である。
【図７】本発明の実施形態に係る導光板の変形例２を示す図であり、（ａ）は斜視図、（ｂ）は平面図、（ｃ）は正面図である。
【図８】本発明の実施形態に係る導光板の変形例３を示す図であり、（ａ）は斜視図、（ｂ）は平面図、（ｃ）は正面図である。
【図９】本発明の実施形態に係るキーモジュールの変形例を示す図であり、光源及び光源から最も遠い側の入力キーとに対応する要部の断面図である。
【発明を実施するための形態】
【００２６】
以下の図面を参照して、本発明に係る電子機器の例として、携帯電話機をあげて説明し、本発明の理解に供する。しかし、以下の説明は本発明の特許請求の範囲に記載の発明を限定するものではない。
【００２７】
まず図１〜図５を参照して、本発明の電子機器の実施形態に係る携帯電話機１を説明する。
図１に示すように、携帯電話１は、入力部１ａと、表示部１ｂとを備える。表示部１ｂは、ヒンジ部１ｃを介して入力部１ａに開閉自在とされている。
【００２８】
図２、図３も参照して、前記入力部１ａには、ケース１ｄ内に入力モジュールとしてのキーモジュール２を備えている。キーモジュール２は、入力キー１０、導光板２０、ドーム状可動接点シート３０、光源４０、プリント配線板５０を備えている。
【００２９】
前記入力キー１０は、入力操作を行う部分で、前記入力部１ａに露出した入力キー１１〜１３で構成されている。ここで入力キー１１〜１３は、図２に示すように、碁盤の目状に配置してある入力キー１０において、光源４０に最も近い側に配置した入力キーを入力キー１１とし、最も遠い側に配置した入力キーを入力キー１３とする。
【００３０】
なお入力キー１０は、透明性の硬質樹脂で形成され、数字、アルファベット、記号等の特定の形状が視認可能に設けられている。数字、アルファベット、記号等の特定の形状の形成方法は、特定の形状を遮光性材料でマークするものや、特定の形状以外を遮光性材料でマークするものの何れであってもよい。
【００３１】
前記導光板２０は、図３に示すように、入力キー１０の下方に位置し、光源４０から入射させた光をその厚み内を導光したのち出射させて、入力キー１０を照光するためのものである。より具体的には、図３に示すように、導光板２０は、光源４０の照光端面４１から放たれた光を導光板２０の光入射端面２１から入射させて、導光板２０の厚み内で全反射させながら入射側とは反対側の側面２２まで導光すると共に、入力キー１０のある方向へ出射し、これにより照光を行う。
【００３２】
また図３に示すように、導光板２０の下面側には、導光板２０内を導光してきた光を板の上面、つまり入力キー１０方向へ散乱、回折させて出射させる光出射構造部２３を複数設けている。この光出射構造部２３により、導光板２０内を導光される光を所定位置で入力キー１０方向へ効率良く出射させることができる。
【００３３】
この光出射構造部２３は、図３に示すように、凸状のドットで構成されている。このように光出射構造部２３を凸状のドットで構成することで、導光板２０内を全反射状態で導かれてきた光を物理的な凸状のドットの位置で確実に散乱、回折させて入力キー１０方向へ出射させることができる。よって入力キー１０の輝度を向上させることができる。
この凸状のドットはスクリーン印刷で成形することが可能である。勿論、スクリーン印刷に限るものではなく、他の印刷加工、スプレイ加工、精密転写を含む型加工で成形することも可能である。
【００３４】
なお、光出射構造部２３の配置位置は導光板２０の下面に限るものではなく、上面であってもよい。また光出射構造部２３の形状、大きさ、数、隣接する光出射構造部２３の距離等も本実施形態のものに限るものではなく、適宜変更可能である。
また光出射構造部２３は、凸状のドットによって構成するものに限るものではない。例えばスタンプ加工、若しくはレーザー加工によって、凹状のドットに形成する構成としてもよい。
【００３５】
更に光出射構造部２３は、散乱回折材を含有している。このような構成とすることで、光出射構造部２３での光の散乱、回折を一段と効率良く行うことができる。
なお散乱回折材としては、ＴｉＯ２を用いることができる。
【００３６】
また図４（ａ）、図４（ｂ）に示すように、導光板２０において、光入射端面２１と対向する面である反対側の側面２２には、該側面２２に対して内側に傾斜させると共に、凹凸が板の幅方向に形成された光反射誘導手段たる傾斜凹凸形状２４を１つ設けている。ここで、「内側」とは、導光板２０の内部方向を示すものとする。
【００３７】
このような構成とすることで、図４（ａ）、図４（ｂ）において破線の矢印で示すように、光の入射側とは反対側まで到達した光、特に導光板２０の長手方向に沿って導かれてくる平行光線を板の幅方向に傾斜させて再び板厚内に反射誘導させ、導光板２０内に閉じ込めることができる。よって光の入射側とは反対側まで到達した光を有効に利用することができる。
ここで「平行光線」とは、図５において破線の矢印で示すように、光源４０から導光板２０へ入射する光の内、光入射端面２１に対して直角に入射し、導光板２０内を上面及び下面に対して平行に進行し、光入射端面２１とは反対側の側面２２に直接当たる光（直線光）のことを示す。
【００３８】
つまり図５の黒矢印で示すように、光源４０から様々な角度で光入射端面２１から導光板２０に入射した光は、反射を繰り返しながら進行し、その途中で光出射構造部２３に当たることで入力キー１０方向へ出射される。しかし光出射構造部２３に当たらなかった光や、特に導光板２０内に平行に入射した平行光線は、極端な場合、一度も反射することなく、即ち入力キー１０の照光に寄与することが全くないまま、入射側とは反対側の側面２２から出てゆくこととなる。
よって光反射誘導手段たる傾斜凹凸形状２４を側面２２に設けることで、入力キー１０の照光に寄与することがなかった光を再び板厚内に反射誘導させることができる。よって導光板２０に入射させた光、特に平行光線を有効に利用して入力キー１０の照光に寄与させることができる。
【００３９】
また本発明の実施形態のようなエッジライト方式の導光板においては、図２に示すように、その１端面からＬＥＤなどの光を入射するため、光源近傍側は明るく、光源遠方側は暗くなり、輝度の差が生じ易い。よって光源遠方側である導光板２０の末端側に光反射誘導手段たる傾斜凹凸形状２４を設け、平行光線をはじめ入力キー１０の照光に寄与することなく導光板２０から出ていっていた光を再び板厚内に反射誘導させることで、光源遠方側の輝度を向上させることができる。従って輝度均一性を向上させることができ、均一な輝度での照光機能を発揮することができる携帯電話機１とすることができる。
【００４０】
更に傾斜凹凸形状の傾斜面は、鏡面で構成されている。このような構成とすることで、光の入射側とは反対側まで到達した光をより確実且つ効率的に再び板厚内に反射誘導させることができる。
なお鏡面加工は、蒸着等、鏡面加工を施すものとして通常用いられるものであれば如何なる加工方法であってもよい。
【００４１】
また導光板２０は、ポリカーボネート、ポリウレタン、ポリメタクリル酸メチル樹脂等、可視光域の光を十分透過させることができる樹脂で形成される。
また光出射構造部２３を備える導光板２０の製造方法としては、射出成形やホットエンボス成形を用いることができる。
なお導光板２０の厚みは、２０μｍ〜２００μｍで、光出射構造部２３の厚みは、１μｍ〜５０μｍとすることが望ましい。
【００４２】
前記ドーム状可動接点シート３０は、図３に示すように、導光板２０の下方に位置し、メタルドームと称する導電性金属膜からなるドーム状のスイッチ動作子３１を備えたシートである。このドーム状のスイッチ動作子３１が、入力キー１０の動作に従動し、後述するプリント配線板５０と接触、非接触されることで、キーモジュール２のスイッチオン、スイッチオフが行われる。
ドーム状可動接点シート３０は、図３に示すように、プリント配線板５０上に配設され、プリント配線板５０の上面部を被覆している。またドーム状可動接点シート３０は、ラバー等の軟質の弾性シートから構成することができる。
なおドーム状可動接点シート３０の厚みは、２０μｍ〜２００μｍとすることが望ましい。
【００４３】
前記光源４０は、例えばＬＥＤで構成することができる。この光源４０は、図３に示すように、プリント配線板５０上における導光板２０の光導入端面２１と対向する位置に設備される。
【００４４】
前記プリント配線板５０は、図３に示すように、プリント配線層５１と、樹脂層５２とから構成される。このプリント配線板５０は、上方に導光板２０を備え、更に既述した入力キー１０と、ドーム状可動接点シート３０と、光源４０とでキーモジュール２を構成している。
【００４５】
前記プリント配線層５１は、スイッチ接点となる導電層たる回路部を備えるものであり、銅箔によるパターンを樹脂層５２上に形成することで構成される。
【００４６】
次に図６を参照して、本発明の実施形態に係る導光板の変形例１を説明する。
本変形例１は、導光板に形成される光反射誘導手段たる傾斜凹凸形状の形を変化させたものである。その他の構成については、既述した本発明の実施形態と同一である。同一部材、同一機能を果たすものには、同一番号を付し、以下の説明を省略する。
【００４７】
図６（ａ）、図６（ｂ）に示すように、本変形例１においては、光反射誘導手段たる傾斜凹凸形状２４を板の幅方向に複数形成している。
このような構成とすることで、図６（ａ）、図６（ｂ）において破線の矢印で示すように、光の入射側とは反対側まで到達した光、特に導光板２０の長手方向に沿って導かれてくる平行光線を板の幅方向に傾斜させると共に、一段と小刻みに再び板厚内に反射誘導させ、導光板２０内に閉じ込めることができる。よって光の入射側とは反対側まで到達した光を一段と有効に利用することができる。
【００４８】
次に図７を参照して、本発明の実施形態に係る導光板の変形例２を説明する。
本変形例２は、導光板に形成される光反射誘導手段たる傾斜凹凸形状の形を変化させたものである。その他の構成については、既述した本発明の実施形態と同一である。同一部材、同一機能を果たすものには、同一番号を付し、以下の説明を省略する。
【００４９】
図７（ａ）、図７（ｃ）に示すように、本変形例２においては、光反射誘導手段たる傾斜凹凸形状２４を板の厚み方向に複数形成している。
このような構成とすることで、図７（ａ）、図７（ｃ）において破線の矢印で示すように、光の入射側とは反対側まで到達した光、特に導光板２０の長手方向に沿って導かれてくる平行光線を板の厚み方向に傾斜させると共に、一段と小刻みに再び板厚内に反射誘導させ、導光板２０内に閉じ込めることができる。よって光の入射側とは反対側まで到達した光を一段と有効に利用することができる。
【００５０】
更に板の厚み方向に傾斜させて再び板厚内に反射誘導させることで、導光板２０の下方へ光を反射誘導させることができる。よって図７（ｃ）に示すように、反射誘導させた光を光反射誘導手段たる傾斜凹凸形状２４を設けた側面２２付近にある光出射構造部２３やその周囲に直接反射誘導させることができる。よって平行光線をはじめ入力キー１０の照光に寄与することなく導光板２０から出ていっていた光を一段と効率良く利用し、照光に寄与させることができる。また一段と効率良く光源遠方側である導光板２０の末端側の輝度を向上させることができる。よって一段と効率良く輝度均一性を向上させることができ、均一な輝度での照光機能を発揮することができる携帯電話機１とすることができる。
【００５１】
次に図８を参照して、本発明の実施形態に係る導光板の変形例３を説明する。
本変形例３は、導光板に形成される光反射誘導手段たる傾斜凹凸形状の形を変化させたものである。その他の構成については、既述した本発明の実施形態と同一である。同一部材、同一機能を果たすものには、同一番号を付し、以下の説明を省略する。
【００５２】
図８（ａ）〜図８（ｃ）に示すように、本変形例３においては、光反射誘導手段たる傾斜凹凸形状２４を板の幅方向に形成すると共に、厚み方向且つ内側に傾斜させてテーパーをつけた状態で形成している。より具体的には、図８（ｃ）において破線の矢印で示すように、光の入射側とは反対側まで到達した光、特に導光板２０の長手方向に沿って導かれてくる平行光線を導光板２０の下方に反射誘導させるようにテーパーをつけている。
このような構成とすることで、図８（ａ）〜図８（ｃ）において破線の矢印で示すように、光の入射側とは反対側まで到達した光、特に導光板２０の長手方向に沿って導かれてくる平行光線を板の幅方向に傾斜させて反射誘導させると同時に、板の下方へも反射誘導させることができる。よって、光の入射側とは反対側まで到達した光を一段と有効且つ効率的に利用することができる。
【００５３】
更に図８（ｃ）に示すように、光の入射側とは反対側まで到達した光を導光板２０の下方に反射誘導させるようにテーパーをつけることで、既述した変形例２の場合に比べ、下方に反射誘導させた光を光源遠方側である導光板２０の末端側に一段と集中させることができる。よって下方へ反射誘導させた光を光反射誘導手段たる傾斜凹凸形状２４を設けた側面２２付近にある光出射構造部２３やその周囲により多く反射誘導させることができる。よって平行光線をはじめ入力キー１０の照光に寄与することなく導光板２０から出ていっていた光を一段と効率良く利用して、光源遠方側である導光板２０の末端側の輝度を向上させることができる。よって一段と効率良く輝度均一性を向上させることができ、均一な輝度での照光機能を発揮することができる携帯電話機１とすることができる。
【００５４】
なお傾斜凹凸形状２４の角度、大きさ、数等は本実施形態のものに限るものではなく、反射誘導させたい光の方向や輝度を向上させたい部分等に合わせて適宜変更可能である。
【００５５】
次に図９を参照して、本発明の実施形態に係るキーモジュールの変形例を説明する。
本変形例は、キーモジュールにおける導光板の配置位置を変化させたものである。その他の構成については、既述した本発明の実施形態と同一である。同一部材、同一機能を果たすものには、同一番号を付し、以下の説明を省略する。
【００５６】
図９に示すように、本変形例においては、導光板２０をスイッチ動作子３１を備えるドーム状可動接点シート３０の上方に配置するのではなく、導光板２０に貫通孔６０を形成し、この貫通孔６０にスイッチ動作子３１を収容するような構成で導光板２０を配置してある。
このような構成とすることで、図９に示すように、スイッチ動作子３１上に導光板２０が存在することがない。よって入力キー１０の操作時におけるクリック感を向上させることができる。
【産業上の利用可能性】
【００５７】
本発明は携帯電話機等の電子機器、それに用いられるキーモジュールとして利用することができる。
【符号の説明】
【００５８】
１            携帯電話機
１ａ          入力部
１ｂ          表示部
１ｃ          ヒンジ部
１ｄ          ケース
２            キーモジュール
１０          入力キー
１１          入力キー
１２          入力キー
１３          入力キー
２０          導光板
２１          光入射端面
２２          側面
２３          光出射構造部
２４          傾斜凹凸形状
３０          ドーム状可動接点シート
３１          スイッチ動作子
４０          光源
４１          照光端面
５０          プリント配線板
５１          プリント配線層
５２          樹脂層
６０          貫通孔
【図１】
2011044324.tif 000003
【図２】
2011044324.tif 000004
【図３】
2011044324.tif 000005
【図４】
2011044324.tif 000006
【図５】
2011044324.tif 000007
【図６】
2011044324.tif 000008
【図７】
2011044324.tif 000009
【図８】
2011044324.tif 000010
【図９】
2011044324.tif 000011